(57)【要約】      （修正有）【課題】使用者に充分な日当たりを与え、なお国民の健康を促進し国力を増強する着脱式日照活動記録装置を提供する。【解決手段】着脱式日照活動記録装置１は、処理ユニット１１と、光感知ユニット１２と、動作感知ユニット１３とを有する。光感知ユニット１２は処理ユニット１１に電気的に接続し、光感知信号ＬＳを処理ユニット１１に出力する。動作感知ユニット１３は処理ユニット１１に電気的に接続し、動作感知信号ＭＳを処理ユニット１１に出力する。処理ユニット１１は、光感知信号ＬＳに基づいて着脱式日照活動記録装置１が屋内又は屋外に位置することを判断すると共に、動作感知信号ＭＳに基づいて着脱式日照活動記録装置１が作動中か否かを判断し、着脱式日照活動記録装置１が屋外に位置し且つ作動中の場合、処理ユニット１１は日照の受ける時間を記録する。【選択図】図１
0003211129.tif 000002
【実用新案登録請求の範囲】
【請求項１】
処理ユニットと、
前記処理ユニットに電気的に接続し、光感知信号を前記処理ユニットに出力する光感知ユニットと、
前記処理ユニットに電気的に接続し、動作感知信号を前記処理ユニットに出力する動作感知ユニットと、
を有する着脱式日照活動記録装置であって、
前記処理ユニットは、
前記光感知信号に基づいて前記着脱式日照活動記録装置が屋内又は屋外に位置することを判断すると共に、前記動作感知信号に基づいて前記着脱式日照活動記録装置が作動中か否かを判断し、前記着脱式日照活動記録装置が屋外に位置し且つ作動中の場合、前記処理ユニットは日照の受ける時間を記録することを特徴とする着脱式日照活動記録装置。
【請求項２】
前記着脱式日照活動記録装置は、腕時計、腕輪、ヘッドマウント装置、ネックレス装置、腕章装置、ウェスト装着装置、又はシューズマウンド装置であることを特徴とする請求項１に記載の着脱式日照活動記録装置。
【請求項３】
前記光感知ユニットは、フォトレジスト、フォトダイオード、フォトトランジスター、太陽電池部材、又はその組合せを有することを特徴とする請求項１に記載の着脱式日照活動記録装置。
【請求項４】
前記動作感知信号は、加速度、速度、角速度、角度、変位、又はその組合せの信号を有することを特徴とする請求項１に記載の着脱式日照活動記録装置。
【請求項５】
前記動作感知ユニットは、加速度計、ジャイロスコープ、又はその組合せを有することを特徴とする請求項１に記載の着脱式日照活動記録装置。
【請求項６】
前記処理ユニットは、前記光感知信号に基づいて、光透過量信号又は照度信号を生成することで、前記着脱式日照活動記録装置が屋内又は屋外に位置することを判断する、ことを特徴とする請求項１に記載の着脱式日照活動記録装置。
【請求項７】
前記処理ユニットは、前記動作感知信号に基づいて、加速度信号、速度信号、角速度信号、変位信号、又は角度信号を生成することで、前記着脱式日照活動記録装置が作動中か否かを判断する、ことを特徴とする請求項１に記載の着脱式日照活動記録装置。
【請求項８】
前記処理ユニットは、前記日照の受ける時間に対応する光透過量又は照度を更に記録することを特徴とする請求項１に記載の着脱式日照活動記録装置。
【請求項９】
前記処理ユニットは、前記光透過量又は照度に基づいて日照の受ける必要時間を調整することを特徴とする請求項８に記載の着脱式日照活動記録装置。
【請求項１０】
前記処理ユニットに電気的に接続するアラームユニットを更に有し、
前記処理ユニットが日照終了時間と現在時間を比較し作動信号を前記アラームユニットに出力することで、前記アラームユニットはアラームを出すことを特徴とする請求項１に記載の着脱式日照活動記録装置。
【請求項１１】
前記処理ユニットに電気的に接続し、前記日照の受ける時間を送信する無線通信ユニットを更に有することを特徴とする請求項１に記載の着脱式日照活動記録装置。
【考案の詳細な説明】
【技術分野】
【０００１】
本考案は、記録装置に関するものであり、特に着脱式日照活動記録装置に関するものである。
【背景技術】
【０００２】
現代人の生活リズムは忙しくなっており、その上学生の授業への負担も徐々に重くなっているため、殆どの現代人は充分な日当たりを受けていない。研究によると、充分な日当たりを受けることで様々なメリットをもたらし、例えば、ビタミンＤの生成、心地よくなり、血液循環と新陳代謝の促進、近眼の予防などである。
【０００３】
よって、使用者に充分な日当たりを与え、なお国民の健康を促進し国力を増強する着脱式日照活動記録装置を提供することは、重要な課題の一つとなっている。
【考案の概要】
【考案が解決しようとする課題】
【０００４】
上記課題に鑑み、本考案の目的は、使用者に充分な日当たりを与え、なお国民の健康を促進し国力を増強でき、且つ使用者が着脱しやすい着脱式日照活動記録装置を提供することにある。
【０００５】
上記目的を達成するために、本考案の着脱式日照活動記録装置は、処理ユニットと、光感知ユニットと、動作感知ユニットとを有する。前記光感知ユニットは前記処理ユニットに電気的に接続し、光感知信号を前記処理ユニットに出力する。前記動作感知ユニットは前記処理ユニットに電気的に接続し、動作感知信号を前記処理ユニットに出力する。前記処理ユニットは、光感知信号に基づいて前記着脱式日照活動記録装置が屋内又は屋外に位置することを判断すると共に、前記動作感知信号に基づいて前記着脱式日照活動記録装置が作動中か否かを判断し、前記着脱式日照活動記録装置が屋外に位置し且つ作動中の場合、前記処理ユニットは日照の受ける時間を記録する。
【０００６】
一実施例において、前記着脱式日照活動記録装置は、腕時計、腕輪、ヘッドマウント装置、ネックレス、腕章、ウェストバッグ、シューズマウンド、又は他の体に着脱される装置である。
【０００７】
一実施例において、前記光感知ユニットは、フォトレジスト、フォトダイオード、フォトトランジスター、太陽電池部材、又はその組合せを有する。
【０００８】
一実施例において、前記動作感知信号は、加速度、速度、角速度、角度、変位、又はその組合せの信号を有する。
【０００９】
一実施例において、前記動作感知ユニットは、加速度計、ジャイロスコープ、又はその組合せを有する。
【００１０】
一実施例において、前記処理ユニットは、前記光感知信号に基づいて、光透過量信号又は照度信号を生成することで、前記着脱式日照活動記録装置が屋内又は屋外に位置することを判断する。
【００１１】
一実施例において、前記処理ユニットは、前記動作感知信号に基づいて、加速度信号、速度信号、角速度信号、変位信号、又は角度信号を生成することで、前記着脱式日照活動記録装置が作動中か否かを判断する。
【００１２】
一実施例において、前記処理ユニットは、日照の受ける時間に対応する光透過量又は照度を更に記録する。
【００１３】
一実施例において、前記処理ユニットは、光透過量又は照度に基づいて日照の受ける必要時間を調整する。
【００１４】
一実施例において、前記着脱式日照活動記録装置は前記処理ユニットに電気的に接続するアラームユニットを更に有し、前記処理ユニットが日照終了時間と現在時間を比較し作動信号を前記アラームユニットに出力することで、前記アラームユニットはアラーム又はサインを出す。
【００１５】
一実施例において、前記着脱式日照活動記録装置は、前記処理ユニットに電気的に接続し、日照の受ける時間を送信する無線通信ユニットを更に有する。
【００１６】
以上のことから、本考案の着脱式日照活動記録装置は、光線を感知する光感知ユニットと、動作を感知する動作感知ユニットとを有する。前記処理ユニットは、光感知ユニットの出力した光感知信号に基づいて前記着脱式日照活動記録装置が屋内又は屋外に位置することを判断すると共に、前記動作感知ユニットの出力した動作感知信号に基づいて前記着脱式日照活動記録装置が作動中か否かを判断する。前記着脱式日照活動記録装置が屋外に位置し且つ作動中の場合、使用者が日当たりを受けていることを表示し、同時に前記処理ユニットは日照の受ける時間を記録する。また、前記処理ユニットは日照の受ける時間により様々な応用ができ、例えば、日当たり量が不足または過量の場合、使用者にアラーム又はサインを出し、或いは日照が強すぎる場合は使用者にアラームを出すことなどができる。よって、本考案の着脱式日照活動記録装置は、使用者に充分な日当たりを与えることをサポートし、なお国民の健康を促進し国力を増強でき、且つ使用者に着脱されやすいものである。
【図面の簡単な説明】
【００１７】
【図１】本考案の好適な実施例における着脱式日照活動記録装置のブロック図である。
【図２】本考案の一実施例における着脱式日照活動記録装置のフローチャート図である。
【考案を実施するための形態】
【００１８】
図１は、本考案の好適な実施例における着脱式日照活動記録装置１のブロック図である。図１に示したように、前記着脱式日照活動記録装置１は、処理ユニット１１と、光感知ユニット１２と、動作感知ユニット１３とを有する。前記着脱式日照活動記録装置１は使用者の体に着脱されるものであり、例えば、腕時計、ヘッドマウント装置、ネックレス装置、腕章装置、又はシューズマウンド装置であるが、本考案はこれらに制限されるものではない。前記着脱式日照活動記録装置１は使用者の日照の受ける時間を記録し、これに基づいてスマートな応用を提供し、例えば、毎日の日照量の計算、日当たり量が不足または過量の場合、或いは日照が強すぎる場合は使用者にアラームを出すことなどができるが、本考案はこれらに制限されるものではない。
【００１９】
前記光感知ユニット１２は前記処理ユニット１１に電気的に接続し、光感知信号ＬＳを前記処理ユニット１１に出力する。前記光感知ユニット１２は外の光線を感知するものであり、例えば、フォトレジスト、フォトダイオード、フォトトランジスター、太陽電池部材、又は他の光電部材、又はその組合せを有する。それらの部材は感知された光線を電気信号に転換でき、また、前記光感知ユニット１２は光濾過部材（図示せず）を更に有し、光濾過部材が必要のない光線を濾過することで、光感知の効果を高めることができる。例えば、光濾過部材は赤外光又は可視光などを濾過し、これにより光線における紫外線の比率部分を高めることで、屋内屋外の判断に有利するようにする。
【００２０】
前記動作感知ユニット１３は前記処理ユニット１１に電気的に接続し、動作感知信号ＭＳを処理ユニット１１に出力する。前記動作感知ユニット１３は前記着脱式日照活動記録装置１の動作を感知するものであり、例えば、加速度計、ジャイロスコープ、又はその組合せを有するものである。前記動作感知信号は、例えば、加速度、速度、角速度、角度、変位、又はその組合せの信号を有する。なお、前記動作感知ユニット１３は更に運算部材を有し、上記の信号を別の信号に変換する。
【００２１】
前記処理ユニット１１は前記光感知ユニット１２と動作感知ユニット１３の出力した信号を処理できるものであり、例えば、中央処理装置（ＣＰＵ）、超小型制御装置（ＭＣＵ）、又は他の処理部材、又はその組合せを有する。前記処理ユニット１１は光感知信号ＬＳに基づいて、前記着脱式日照活動記録装置１が屋内又は屋外に位置することを判断する。ここで、様々なメカニズムで前記着脱式日照活動記録装置１が屋内又は屋外に位置することを判断できる。例として、前記処理ユニット１１は光感知信号ＬＳに基づいて、光透過量信号、照度信号、又は他の光強度信号を生成し、これらにより着脱式日照活動記録装置１が屋内又は屋外に位置することを判断する。光透過量信号と照度信号は日照強度を示し、日照強度は他のパラメーターで示すことができる。前記処理ユニット１１は光透過量信号又は照度信号を所定値と比較することで、前記着脱式日照活動記録装置１が屋内又は屋外に位置することを判断する。例えば、昼のとき、光透過量信号又は照度信号が所定値より大きい場合、前記着脱式日照活動記録装置１が屋外に位置すると判断する。しかしながら、上記の所定値は時間により変動するものであると注意されたし。
【００２２】
前記処理ユニット１１は、動作感知信号ＭＳに基づいて前記着脱式日照活動記録装置１が作動中か否かを判断する。ここで、様々なメカニズムで前記着脱式日照活動記録装置１が作動中か否かを判断できる。例として、前記処理ユニット１１は、動作感知信号ＭＳに基づいて、加速度信号、速度信号、角速度信号、変位信号、又は角度信号を生成することで、着脱式日照活動記録装置１が作動中か否かを判断する。前記処理ユニット１１は、上記信号の少なくとも１つを所定値と比較し、上記信号が所定値より大きい場合、着脱式日照活動記録装置１が作動中と判断する。また、所定値は使用者の年齢又は性別により設定できる。
【００２３】
前記着脱式日照活動記録装置１が屋外に位置し且つ作動中の場合、前記処理ユニット１１は日照の受ける時間を記録する。日照の受ける時間は累計できるものであり、日照の受ける時間を記録することで、前記着脱式日照活動記録装置１は様々な応用を提供できる。以下において例を挙げて説明する。
【００２４】
前記処理ユニット１１は日照の受ける時間に基づいて使用者にサインを出すことができ、例えば、日当たり量が不足または過量の場合、使用者にサインを出す。一実施例において、前記着脱式日照活動記録装置１は前記処理ユニット１１に電気的に接続し、アラームを出すアラームユニット１４を更に有する。アラームは例えば、音声、影像、閃光、振動、又はその組合せを有しており、前記アラームユニット１４は例えば、スピーカー、ディスプレイ、フラッシュ、バイブレーション、又はその組合せを有する。
【００２５】
一実施例において、前記処理ユニット１１は、日照の受ける時間に対応する光透過量又は照度を更に記録し、このうち、光透過量＝光エネルギー／時間（Ｊ／ｓ）であり、照度＝光透過量／面積である。光透過量又は照度を提供することにより、前記着脱式日照活動記録装置１は日照の受ける時間と光透過量、或いは照度の対照表を提供できる。なお、前記着脱式日照活動記録装置１は更に光透過量を提供でき、これは例えば日照の受ける時間かける光透過量又は照度に等しいものである。光透過量又は照度が所定値により大きい場合、日照強度が強すぎて人には有害であることを示すため、前記アラームユニット１４はアラームを出すことで使用者の注意を喚起する。また、上記の所定値は時間により変動できる。日照量が十分になり、所定レベルを越え又は到達する場合、前記アラームユニット１４はアラームを出すことで使用者の注意を喚起する。なお、前記処理ユニット１１は光透過量又は照度に基づいて日照の受ける必要時間を調整でき、例えば、ある日における日照強度が大きい場合、その日の日照の受ける必要時間を短縮する。日照の受ける必要時間は使用者に予め設定され、前記処理ユニット１１により変更することができる。日照の受ける必要時間が終了する直前に、前記アラームユニット１４はアラームを出すことで使用者の注意を喚起する。
【００２６】
また、前記処理ユニット１１は日照終了時間と現在時間を比較し、作動信号を前記アラームユニット１４に出力することで、前記アラームユニット１４はアラームを出す。ここで、日照終了時間は日の入り時間を指すものであり、前記アラームユニットは日照終了時間の直前にアラームを出し、日照の受けるチャンスを逃さないよう使用者の注意を喚起する。
【００２７】
本実施例において、前記着脱式日照活動記録装置１は、着脱式日照活動記録装置１の全ての部材に電力を供給する電力供給ユニット１５を更に有する。電力低下又は放置される場合、前記アラームユニット１４はアラームを出す。
【００２８】
本実施例において、前記着脱式日照活動記録装置１は、前記処理ユニット１１に電気的に接続する温度感知ユニット１６を更に有する。温度感知ユニット１６は屋内屋外の判断、又は他の用途、例えば温度表示を補佐できる。
【００２９】
本実施例において、前記着脱式日照活動記録装置１は、前記処理ユニット１１に電気的に接続し少なくとも前記日照の受ける時間を送信できる無線通信ユニット１７を更に有する。なお、前記無線通信ユニット１７は上記何れの信号を更に送信でき、医者や専門家に分析用のデータを提供することができる。
【００３０】
図２は、本考案の一実施例における着脱式日照活動記録装置１のフローチャート図である。図２に示したように、まず日照活動記録を開始する（Ｓ１１）。そして、前記着脱式日照活動記録装置１が屋外に位置するか否かを判断する（Ｓ１２）。前記着脱式日照活動記録装置１が屋外に位置すると判断する場合、前記着脱式日照活動記録装置１が作動中か否かを判断する（Ｓ１３）。作動中の場合、日照の受ける時間を累計（記録）し（Ｓ１４）、日照の受ける時間が達成されるか否かを判断する（Ｓ１７）。達成された場合、日照活動記録を停止する（Ｓ１８）。達成されない場合、昼間の時間（日照終了時間）の終了前１時間（Ｓ１５）にアラームを出す（Ｓ１６）。上記の１時間は当然として例示的なものであり、本考案を制限するものではなく、実際のニーズに応じて変更できるものである。また、昼間の時間（日照終了時間）が終了するとき、アラームを出すことで使用者の注意を喚起する。なお、ステップＳ１５の結果はいいえの場合、引き続きステップＳ１２に戻って前記着脱式日照活動記録装置１が屋内又は屋外に位置することを判断する。
【００３１】
以上をまとめると、本考案の着脱式日照活動記録装置は、光線を感知する光感知ユニットと、動作を感知する動作感知ユニットとを有する。前記処理ユニットは、前記光感知ユニットの出力した光感知信号に基づいて前記着脱式日照活動記録装置が屋内又は屋外に位置することを判断すると共に、前記動作感知ユニットの出力した動作感知信号に基づいて前記着脱式日照活動記録装置が作動中か否かを判断する。前記着脱式日照活動記録装置が屋外に位置し且つ作動中の場合、使用者が日当たりを受けていることを表示し、同時に前記処理ユニットは日照の受ける時間を記録する。また、前記処理ユニットは日照の受ける時間により様々な応用ができ、例えば、日当たり量が不足または過量の場合、使用者にサインを出し、或いは日照が強すぎる場合は使用者にサインを出すことなどができる。よって、本考案の着脱式日照活動記録装置は、使用者に充分な日当たりを与えることをサポートし、なお国民の健康を促進し国力を増強でき、且つ使用者に着脱されやすいものである。
【００３２】
以上の内容は例示的なものに過ぎず、本考案を制限するものではない。本考案の要旨を逸脱しない範囲の設計変更などがあっても、別紙の本考案の実用新案登録請求の範囲に含まれる。
【図１】
0003211129.tif 000003
【図２】
0003211129.tif 000004